【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
遊技球の始動口への入球に起因して抽出された数値データに基づき大当り抽選を行い該大当り抽選の結果を図柄の変動表示の結果にて報知する主制御装置と、該主制御装置からの通知をもとに複数の演出の中から表示する演出を選択するサブ制御装置とを備える弾球遊技機であって、
前記主制御装置は、
複数の前記数値データを保留記憶として記憶可能な保留記憶手段と、
前記保留記憶手段に記憶された前記数値データを参照して前記大当り抽選を行う抽選手段と、
前記大当り抽選が行われる前に前記保留記憶に対応する前記数値データを参照して該数値データが特定値か否かの判定により得られた先読み判定結果に関する情報と、前記保留記憶の発生に関する情報と、前記保留記憶の消化に関する情報と、を含む保留情報の内の少なくとも何れかを前記サブ制御装置に送信する保留情報送信手段と、を備え、
前記サブ制御装置は、
前記保留情報に基づき保留記憶の数に対応する数の保留図柄を画像表示装置に表示する保留図柄表示手段を備え、
前記保留図柄には、大当りとなる信頼度が異なる複数の種類があり、表示する前記保留図柄を前記先読み判定結果により前記複数の種類から選択する表示保留選択手段を備えた弾球遊技機において、
前記サブ制御装置は、
前記表示保留選択手段により選択された保留図柄とは前記信頼度が異なる保留図柄を一時保留図柄として表示する一時保留図柄表示手段と、
前記一時保留図柄から、前記表示保留選択手段により選択された保留図柄に変化させる保留図柄変化手段と、
前記保留図柄変化手段により保留図柄の変化が実行される場合に変化する可能性を有する旨を示す第１前兆演出を行う第１前兆演出手段と、を備え、
前記第１前兆演出手段は、前記保留図柄変化手段による保留図柄の変化をしない場合にも所定の確率で前記第１前兆演出を実行し、
前記サブ制御手段は、
前記保留記憶に基づく変動表示の実行開始時に、前記保留図柄の表示が終了するに伴って前記保留図柄と関連した態様で表示が開始される変動中図柄と、
前記変動中図柄を前記画像表示装置に表示する変動中図柄表示手段と、を備え、
前記変動中図柄には、大当りとなる信頼度が異なる複数の種類があり、表示する前記変動中図柄を前記先読み判定結果により前記複数の種類から選択する変動中図柄選択手段と、
前記変動中図柄選択手段により選択された変動中図柄とは前記信頼度が異なる変動中図柄を一時変動中図柄として表示する一時変動中図柄表示手段と、
前記一時変動中図柄から、前記変動中図柄選択手段により選択された変動中図柄を最終的に表示される最終変動中図柄に変化させる変動中図柄変化手段と、
前記変動中図柄変化手段により変動中図柄の変化が実行される場合に変化する可能性を有する旨を示す第２前兆演出を行う第２前兆演出手段と、を備え、
前記第２前兆演出手段は、前記変動中図柄変化手段による変動中図柄の変化をしない場合にも所定の確率で前記第２前兆演出を実行し、
前記サブ制御手段は、
前記保留情報に基づいて、最初に表示する保留図柄から最後に表示される変動中図柄までの表示プロセスを決定する表示プロセス決定手段と、
前記一時変動中図柄が表示されているときに、遊技者が操作可能な操作手段の操作に基づいて、一時変動中図柄を前記最終変動中図柄に変化させると共に、前記一時保留図柄が表示されているときに、前記操作手段の操作に基づいて、一時保留図柄を前記最終変動中図柄に関連した態様の特別保留図柄に変化させる図柄即時変更手段と、
前記図柄即時変更手段による前記変化の有無に拘わらず、前記操作に基づいて、以降の前記保留図柄変化手段による保留図柄の変化を伴わない第１前兆演出又は、以降の前記変動中図柄変化手段による変動中図柄の変化を伴わない第２前兆演出の実行を禁止する前兆演出禁止手段とを備え、
前記第１前兆演出手段は、前記特別保留図柄が表示されているときに、該特別保留図柄に対する前記第１前兆演出が前記前兆演出禁止手段により禁止されていないものであるならば、該第１前兆演出を実行可能とし、又は、
前記第２前兆演出手段は、前記最終変動中図柄が表示されているときに、該最終変動中図柄に対する前記第２前兆演出が前記前兆演出禁止手段により禁止されていないものであるならば、該第２前兆演出を実行可能とすること、
を特徴とする弾球遊技機。
【手続補正２】
【補正対象書類名】明細書
【補正対象項目名】０００８
【補正方法】変更
【補正の内容】
【０００８】
この弾球遊技機では、主制御装置は、複数の数値データを保留記憶として記憶可能な保留記憶手段と、保留記憶手段に記憶された数値データを参照して大当り抽選を行う抽選手段と、大当り抽選が行われる前に保留記憶に対応する数値データを参照して該数値データが特定値か否かの判定により得られた先読み判定結果に関する情報と、保留記憶の発生に関する情報と、保留記憶の消化に関する情報と、を含む保留情報の内の少なくとも何れかをサブ制御装置に送信する保留情報送信手段と、を備える。
【手続補正３】
【補正対象書類名】明細書
【補正対象項目名】００１０
【補正方法】変更
【補正の内容】
【００１０】
さらに、この弾球遊技機のサブ制御装置は、表示保留選択手段により選択された保留図柄とは信頼度が異なる保留図柄を一時保留図柄として表示する一時保留図柄表示手段と、一時保留図柄から、表示保留選択手段により選択された保留図柄に変化させる保留図柄変化手段と、保留図柄変化手段により保留図柄の変化が実行される場合に変化する可能性を有する旨を示す第１前兆演出を行う第１前兆演出手段と、を備え、第１前兆演出手段は、保留図柄変化手段による保留図柄の変化をしない場合にも所定の確率で第１前兆演出を実行し、サブ制御手段は、保留記憶に基づく変動表示の実行開始時に、保留図柄の表示が終了するに伴って保留図柄と関連した態様で表示が開始される変動中図柄と、変動中図柄を画像表示装置に表示する変動中図柄表示手段と、を備え、変動中図柄には、大当りとなる信頼度が異なる複数の種類があり、表示する変動中図柄を先読み判定結果により複数の種類から選択する変動中図柄選択手段と、変動中図柄選択手段により選択された変動中図柄とは信頼度が異なる変動中図柄を一時変動中図柄として表示する一時変動中図柄表示手段と、一時変動中図柄から、変動中図柄選択手段により選択された変動中図柄を最終的に表示される最終変動中図柄に変化させる変動中図柄変化手段と、変動中図柄変化手段により変動中図柄の変化が実行される場合に変化する可能性を有する旨を示す第２前兆演出を行う第２前兆演出手段と、を備え、第２前兆演出手段は、変動中図柄変化手段による変動中図柄の変化をしない場合にも所定の確率で第２前兆演出を実行し、サブ制御手段は、保留情報に基づいて、最初に表示する保留図柄から最後に表示される変動中図柄までの表示プロセスを決定する表示プロセス決定手段と、一時変動中図柄が表示されているときに、遊技者が操作可能な操作手段の操作に基づいて、一時変動中図柄を最終変動中図柄に変化させると共に、一時保留図柄が表示されているときに、操作手段の操作に基づいて、一時保留図柄を最終変動中図柄に関連した態様の特別保留図柄に変化させる図柄即時変更手段と、図柄即時変更手段による変化の有無に拘わらず、操作に基づいて、以降の保留図柄変化手段による保留図柄の変化を伴わない第１前兆演出又は、以降の変動中図柄変化手段による変動中図柄の変化を伴わない第２前兆演出の実行を禁止する前兆演出禁止手段とを備え、第１前兆演出手段は、特別保留図柄が表示されているときに、該特別保留図柄に対する第１前兆演出が前兆演出禁止手段により禁止されていないものであるならば、該第１前兆演出を実行可能とし、又は、第２前兆演出手段は、最終変動中図柄が表示されているときに、該最終変動中図柄に対する第２前兆演出が前兆演出禁止手段により禁止されていないものであるならば、該第２前兆演出を実行可能とする。
【手続補正４】
【補正対象書類名】明細書
【補正対象項目名】００１６
【補正方法】変更
【補正の内容】
【００１６】
また、保留情報に含まれる保留記憶の発生に関する情報は、発生により増加した後の保留記憶の総数を示す情報であることが好ましい。また、発生により増加したことを示す情報としても良い。
また、保留情報に含まれる保留記憶の消化に関する情報は、消化（消滅）により減少した後の保留記憶の総数を示す情報であることが好ましい。また、消化（消滅）により減少したことを示す情報としても良い。
また、請求項１に記載の弾球遊技機によれば、図柄即時変更手段により変化していなければ、たとえ特別保留図柄が表示されていても第１前兆演出を実行し、たとえ最終変動中図柄が表示されていても第２前兆演出を実行する。このため、特別保留図柄が表示されている場合に第１前兆演出が出現しなくなってしまうことや、最終変動中図柄が表示されている場合に第２前兆演出が出現しなくなってしまうことを防止することが可能で、第１及び第２前兆演出を楽しみたい遊技者を充分に満足させることができる。
【手続補正５】
【補正対象書類名】明細書
【補正対象項目名】００２６
【補正方法】変更
【補正の内容】
【００２６】
また、弾球遊技機の図柄即時変更手段は、操作手段を所定の期間において所定の回数だけ操作されたことに基づいて前記変化を実行するようにしても良い。
【手続補正６】
【補正対象書類名】明細書
【補正対象項目名】００２７
【補正方法】変更
【補正の内容】
【００２７】
このような弾球遊技機によれば、予め定められた期間中において、予め定められた回数の操作を行わなければ、最終変動中図柄に関連した態様の特別保留図柄、又は最終変動中図柄への変化を実行しないので、変化を望む遊技者は自らの所定の操作により変化を発生させることで、遊技に参加することになり、興趣が向上する。また、変化を望まない遊技者にとっては、所定の操作が完了しないと変化が発生しないので、誤って操作手段を操作してしまっても、所定の操作に合致しないと実行されない。よって、望まない変化が容易に実行されることがなく、遊技者の嗜好に反した展開を防止することができる。
【手続補正７】
【補正対象書類名】明細書
【補正対象項目名】００２８
【補正方法】変更
【補正の内容】
【００２８】
また、弾球遊技機の、サブ制御装置は、画像表示装置に変動表示中の保留記憶に係る大当り抽選の結果を報知するための演出表示を実行し、操作手段は、演出表示中に操作されることにより該保留記憶に係る信頼度又は大当り抽選の結果を示すことが可能な第１操作手段と、操作されることにより図柄即時変更手段の変化の契機となる第２操作手段と、を備えるようにしても良い。
【手続補正８】
【補正対象書類名】明細書
【補正対象項目名】００２９
【補正方法】変更
【補正の内容】
【００２９】
このような弾球遊技機によれば、図柄即時変更手段の変化の契機を、信頼度又は大当り抽選の結果を示す契機となる第１操作手段とは異なる第２操作手段としたので、異なる契機の発生を混同することなく実現できる。すなわち、異なる操作手段の操作によることで、遊技者は確実に所望する契機を発生させることができる。
【手続補正９】
【補正対象書類名】明細書
【補正対象項目名】００３０
【補正方法】変更
【補正の内容】
【００３０】
また、弾球遊技機の、第２操作手段は、複数種類の入力操作が可能であって、図柄即時変更手段は、第２操作手段の複数種類の入力操作が所定の操作順序で実行されたことに基づいて、変化を行うようにしても良い。
【手続補正１０】
【補正対象書類名】明細書
【補正対象項目名】００３１
【補正方法】変更
【補正の内容】
【００３１】
このような弾球遊技機によれば、複数種類の入力操作を所定の操作順序に従って行わなければならないため、第１操作手段と錯誤して第２操作手段を操作してしまって意図せずに特別保留図柄、又は最終変動中図柄に変化させてしまうことを防止できる。
【手続補正１１】
【補正対象書類名】明細書
【補正対象項目名】００３２
【補正方法】変更
【補正の内容】
【００３２】
また、弾球遊技機の、図柄即時変更手段は、特別保留図柄へ変化する前に大当りが発生するときには変化を行わない。
【手続補正１２】
【補正対象書類名】明細書
【補正対象項目名】００３３
【補正方法】変更
【補正の内容】
【００３３】
このような弾球遊技機によれば、大当りにより遊技状態等が変化することで、大当り抽選の結果が異なってしまうことを防止できる。
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】削除
【補正の内容】